(57)【要約】【課題】ホースクランプをホースの端部に保持するにあたり、ホースクランプのホースからの脱落を抑制し、かつ、ホースクランプの周方向の回転を抑制する。【解決手段】ホースの端部２４の外周部には突起２６が径方向に一体的に突出形成されているとともに、ホースの端部２４の外周部には別体として形成された板状部材のフォルダ４０が配設されている。フォルダ４０にはホースの突起２６が嵌合する嵌合孔４６が形成されているとともに、ホースクランプの環状部材３２と係合する係合手段が形成されており、かつフォルダ４０にはホースクランプの緊締操作部３４との周方向の相対的位置決めの役目をなす回り止め部４４が形成されている。【選択図】図３
2008185092.tif 000002
【特許請求の範囲】
【請求項１】
円筒形状のパイプ端部の外周部にホースの端部を嵌装させてなる両者の連結部を、環状部材で形成された緊締可能なホースクランプで緊締して連結するためのホースクランプを該ホースの端部に保持するホースクランプの保持構造であって、
前記ホースの端部の外周部には突起が径方向に一体的に突出形成されているとともに、
前記ホースの端部の外周部には別体として形成された板状部材のフォルダが配設されており、
該フォルダには前記ホースの突起が嵌合する嵌合孔が形成されているとともに、前記ホースクランプの環状部材と係合する係合手段が形成されており、かつ該フォルダには前記ホースクランプの緊締操作部との周方向の相対的位置決めの役目をなす回り止め部が形成されていることを特徴とするホースクランプの保持構造。
【請求項２】
前記フォルダには、前記ホースの突起と前記フォルダの嵌合孔とを嵌合させる際に前記突起に対する前記嵌合孔の相対位置を前記ホースの周方向に沿って案内するガイドスリットが設けられていることを特徴とする請求項１に記載のホースクランプの保持構造。
【請求項３】
前記ホースクランプの環状部材がワイヤ状であり、前記係合手段は、前記ワイヤ状の環状部材が嵌合可能な溝部として前記ホースの周方向に沿って配置されていることを特徴とする請求項１又は請求項２に記載のホースクランプの保持構造。
【発明の詳細な説明】
【技術分野】
【０００１】
本発明は、ホースクランプの保持構造に関する。より具体的には、円筒形状のパイプ端部の外周部にホースの端部を嵌装させてなる両者の連結部を、環状部材で形成された緊締可能なホースクランプで緊締して連結するためのホースクランプをそのホースの端部に保持するホースクランプの保持構造に関する。
【背景技術】
【０００２】
パイプ端部の外周部にホースの端部を嵌装させて、その連結部をホースクランプで緊締して連結する技術は、例えば特許文献１に開示されている。従来、ホースクランプとしては、ワイヤ状や帯状の環状部材を操作ネジを回すことにより縮径して緊締するものが広く用いられている。そして、パイプとホースの連結部の緊締を効率よく行うために、パイプとホースとを連結する前にあらかじめホースの端部に拡径状態のホースクランプを仮留めして用いられることがあった。例えば、ホースと拡径状態の環状部材の間にスポンジを噛ませてスポンジの弾力でクランプを仮留めしたり、あるいは、別体として形成されたゴムや樹脂等で環状部材を溶着して仮留めしたりしていた。
【０００３】
【特許文献１】特開平８−１３５５３４号公報
【発明の開示】
【発明が解決しようとする課題】
【０００４】
しかしながら、従来の仮留め方法では、ホースクランプがホースに対して必ずしも十分に固定されているわけではなくパイプとホースを連結する前にホースクランプが脱落する場合があった。また、従来の仮留め方法では周方向へホースクランプが回転してしまう場合があった。特に、操作ネジを回す緊締作業時には周方向への押圧がかかりやすく、ホースクランプが回転すると緊締作業が困難となる。その場合、周方向の位置決めをし、その位置でホースクランプを支持しながら操作ネジを回さなければならず、緊締操作が煩雑になっていた。
【０００５】
そこで、本発明はホースクランプをホースの端部に保持するにあたり、ホースクランプのホースからの脱落を抑制し、かつ、ホースクランプの周方向の回転を抑制することを課題とした。
【課題を解決するための手段】
【０００６】
本発明は、上記課題を解決するために以下の手段をとる。
第１の発明は、円筒形状のパイプ端部の外周部にホースの端部を嵌装させてなる両者の連結部を、環状部材で形成された緊締可能なホースクランプで緊締して連結するためのホースクランプを該ホースの端部に保持するホースクランプの保持構造であって、前記ホースの端部の外周部には突起が径方向に一体的に突出形成されているとともに、前記ホースの端部の外周部には別体として形成された板状部材のフォルダが配設されており、該フォルダには前記ホースの突起が嵌合する嵌合孔が形成されているとともに、前記ホースクランプの環状部材と係合する係合手段が形成されており、かつ該フォルダには前記ホースクランプの緊締操作部との周方向の相対的位置決めの役目をなす回り止め部が形成されていることを特徴とする。
【０００７】
ここでのホースの端部とは、ホースをパイプに嵌装させた際にパイプと重なり合い連結部を構成する部分のことである。この第１の発明によれば、ホースの端部に径方向に一体的に突出形成された突起にフォルダの嵌合孔を嵌合させるとともに、ホースクランプに形成された係合手段にホースクランプを係合させることにより、ホースの端部に脱落しにくい状態でホースクランプを保持させてアッシー状態とすることができる。そして、フォルダに緊締操作部との周方向の相対的位置決めの役目をなす回り止め部が形成されていることによりホースクランプの周方向の回転が抑制される。それによりクランプを緊締する際に周方向に押圧が加わった場合であっても、この回り止め部により周方向への回転が妨げられ、容易に緊締操作を行うことができる。
【０００８】
第２の発明は、上記第１の発明に記載のホースクランプの保持構造であって、前記フォルダには、前記ホースの突起と前記フォルダの嵌合孔とを嵌合させる際に前記突起に対する前記嵌合孔の相対位置を前記ホースの周方向に沿って案内するガイドスリットが設けられていることを特徴とする。
【０００９】
この第２の発明によれば、ホースの突起を垂直に嵌合孔に押し入れるのみならず、ホースの周方向に沿ってフォルダを移動させることによってもホースの突起とフォルダの嵌合孔とを嵌合させることができる。それにより、ホースクランプの保持構造の組み付け作業の自由度が向上する。
【００１０】
第３の発明は、上記第１の発明又は上記第２の発明に記載の前記ホースクランプの環状部材がワイヤ状であり、前記係合手段は、前記ワイヤ状の環状部材が嵌合可能な溝部として前記ホースの周方向に沿って配置されていることを特徴とすることを特徴とする。
【００１１】
この第３の発明によれば、係合手段がワイヤ状の環状部材が嵌合可能な溝部として形成されているため、ホースに対するホースクランプの相対位置を長手方向と周方向の両方で確実に位置決めすることができる。
【発明の効果】
【００１２】
本発明によれば、上記した手段により次の効果を得る。
第１の発明によれば、ホースの端部に脱落しにくい状態でホースクランプを保持させてアッシー状態とすることができる。また、回り止め部により周方向への回転が抑制される。それにより容易に緊締操作を行うことができる。
第２の発明によれば、ホースクランプの保持構造の組み付け作業の自由度が向上する。
第３の発明によれば、ホースに対するホースクランプの相対位置を長手方向と周方向の両方で確実に位置決めすることができる。
【発明を実施するための最良の形態】
【００１３】
以下、図面を参照しながら本発明の実施の形態を説明する。まず、図１〜７を参照しながら第1実施形態について説明する。
図１及び図２には、第1実施形態のホースクランプの保持構造１０が示されており、エアホース２０がパイプ端部（図示省略）に連結される前であって、ホースクランプ３０がエアホース２０の端部に保持されている様子を示している。このホースクランプの保持構造１０は、端部にパイプとの連結部２４を有するエアホース２０と、エアホース２０の連結部２４に取り付けられたフォルダ４０とを備えている。そしてそのフォルダ４０にホースクランプ３０が係合することによりエアホース２０の端部にホースクランプ３０が保持されている。なお、このホースクランプの保持構造１０は、例えば自動車のエンジンのエア供給経路を構成するエアホースに適用される。
【００１４】
ホースクランプ３０は環状部材３２と、環状部材３２を縮径あるいは拡径させるための緊締操作部３４とを有している従来公知のホースクランプである。環状部材３２は、１本のワイヤ部材を中央で折り曲げて二重としたものであり、その二重のワイヤ部材の両端を交差させて環状としたものである。図３によく示されるように、緊締操作部３４は、操作ネジ３６と、ナット３７と、ネジ受け３８とで構成されている。操作ネジ３６は雄ネジ部３６ｂのヘッド３６ａとは反対側の先端にネジの切られていない細径部３６ｃを有している。雄ネジ部３６ｂにはナット３７の雌ネジが螺合され、細径部３６ｃはネジ受け３８に回転可能に嵌め込まれている。ここで操作ネジ３６のヘッド３６ａ側を緊締操作部３４の前方、ネジ受け３８側を後方として説明すると、環状部材３２は、ワイヤ部材の折り曲げられた一端３２ａがネジ受け３８に対して前方側から回り込んで後面で係合し、他端３２ｂであるワイヤ部材の両端部はナット３７に対して後方側から回り込んで前面で係合している。
【００１５】
操作ネジ３６を回すことにより、環状部材３２の他端３２ｂを伴ってナット３７が相対的に前方に移動してネジ受け３８との距離が広がると環状部材３２が縮径され、逆にナット３７とネジ受け３８との距離が近づくと環状部材３２が拡径される。ホースクランプ３０は拡径状態でエアホース２０の端部に保持されており、このホースクランプ３０の保持されたエアホース２０をパイプ端部の外周部に嵌装させ、操作ねじ３６を回して環状部材３２を縮径させることにより両者の連結部を緊締して抜け止めすることができる。
【００１６】
エアホース２０は、図１によく示されるように、樹脂製で胴部２２は蛇腹状であるが、その先端が円筒形状のパイプ端部に嵌装可能な円筒形状に形成されており、この円筒形状の部分が連結部２４である。図３に示されるように、エアホース２０は、連結部２４の外周部に径方向に一体的に形成された突起２６を有している（図３、図４参照）。図３によく示されるように、突起２６は、連結部２４の外周部から突起した軸部２７を有し、その軸部２７の先には軸部２７の外周よりも張り出し、且つ先端がやや窄んだテーパー形状として形成された一対の係止部２８ａ、２８ｂが設けられている。係止部２８ａ，２８ｂは、エアホース２０の長手方向に沿って形成された窪み２６ａを挟んで相対向して設けられている。
【００１７】
図５及び図６に示されるように、フォルダ４０は、樹脂製で平面視で略四角形の板状部材からなる本体部４２（図７参照）と、本体部４２の端より起立して設けられたリブ４４とを有する。リブ４４と対向しない本体部４２の端にはホースクランプ３０のワイヤ状の環状部材３２が嵌合可能な溝部として形成された係合手段４８ａ，４８ｂが設けられている。係合手段４８ａ，４８ｂは図６に示されるように、断面略Ｃ字形状であり、環状部材３２が嵌まり込むと径方向に抜け止め可能となっており、環状部材を把持することができる。
【００１８】
本体部４２の略中央にはエアホース２０の突起２６が嵌合する円形の嵌合孔４６が形成されている。フォルダ４０をエアホース２０の外周部に取り付ける際には、フォルダ４０の嵌合孔４６に突起２６の係止部２８ａ，２８ｂが差し入れられる。それにより係止部２８ａ，２８ｂが互いに近づく方向に撓まされながら嵌合孔４６が係止部２８ａ，２８ｂの外周を通過し、軸部２７に嵌合孔４６を嵌合させることができる。そして係止部２８ａ，２８ｂにより嵌合孔４６が弾性的に抜け止めされてフォルダ４０がエアホース２０の外周に固定される。
【００１９】
このフォルダ４０は、係合手段４８ａ，４８ｂがエアホース２０の周方向に沿い、リブ４４がエアホース２０の周方向を区切るように配設される。ホースクランプ３０は、緊締操作部３４の後部に位置する環状部材３２の一端３２ａがリブ４４に当接した状態で環状部材３２が係合手段４８ａ，４８ｂに嵌まり込んで把持されている。それにより、ホースクランプ３０がエアホース２０の長手方向に対して位置決めされるとともに、係合手段４８ａ，４８ｂと環状部材３２との間に生じる摩擦力により周方向のずれも抑制されている。ここでリブ４４はホースクランプ３０の緊締操作部３４との周方向の相対的位置決めの役目をなしており、本発明の回り止め部に相当する。
【００２０】
以上の構成のホースクランプの保持構造１０によれば以下の作用効果を奏する。
まず、ホースクランプ３０の環状部材３２をフォルダ４０の係合手段４８ａ，４８ｂに嵌合させることによりフォルダ４０にホースクランプ３０を保持させることができる。それとともに、エアホース２０の端部に設けられた突起２６にフォルダ４０の嵌合孔４６を嵌合させることにより、フォルダ４０をエアホース２０の端部に固定することができる。それにより、ホースクランプ３０を確実にエアホース２０の端部に保持させてアッシー状態とすることができる。
【００２１】
次に、係合手段４８ａ，４８ｂがホースクランプ３０の環状部材３２を把持する溝部として形成されているためアッシー状態でホースクランプ３０が脱落しにくい。また、環状部材３２との間に生じる摩擦力によりホースクランプ３０の周方向のずれも抑制される。
【００２２】
次に、エアドライバ等を使用して操作ネジ３６を回す際にその押圧が前方から後方に加わる場合であっても、回り止め部としてのリブ４４がホースクランプ３０の緊締操作部３４の後部に当接しているため、緊締操作部３４の後方への移動が妨げられ、緊締操作部３４の位置が保持される。それにより円滑に操作ネジ３６を回すことができる。
【００２３】
次に、図８を参照しながら、第２実施形態について説明する。この第２実施形態は、上記第１実施形態においてフォルダの形状のみを変更した実施形態である。エアホース２０およびホースクランプ３０については変更を要しない。以下、変更を要しない部分については上記第１実施形態と同じ符号を用いて説明する。フォルダ５０は、図８に示されるように樹脂製で平面視で略四角形の板状部材からなる本体部５２と、本体部５２の端より起立して設けられた回り止め部としてのリブ５４とを有し、リブ５４と対向しない本体部５２の端にホースクランプ３０の環状部材３２と係合する溝部としての係合手段５８ａ、５８ｂが形成されている。この点については上記第１実施形態のフォルダ４０と同様である。
【００２４】
本体部５２にはエアホース２０の突起２６が嵌合する円形の嵌合孔５６が形成されており、このフォルダ５０では特に嵌合孔５６にリブ５４とは反対方向へ開放するガイドスリット５７が形成されている。このスリットは、エアホース２０の突起２６とフォルダ５０の嵌合孔５６とを嵌合させる際に突起２６に対する嵌合孔５６の相対位置をエアホース２０の周方向に沿って案内可能に形成されている。すなわち、ガイドスリット５７の幅は、突起２６の軸部２７の直径よりも狭く設定されており、且つ、軸部２７を進入させたときに弾性変形により軸部２７の通過を許容可能に形成されている。そして、フォルダ５０をエアホース２０の外周面に沿ってスライドさせて、軸部２７をガイドスリット５７内に進入させると、ガイドスリット５７は弾性変形させられながら軸部２７を嵌合孔５６に案内し、嵌合孔５６に嵌まり込んだ軸部２７は弾性的に抜け止めされる。
【００２５】
以上の構成のフォルダ５０を用いることにより以下の作用効果を奏する。すなわち、フォルダ５０をエアホース２０の外周面に沿ってスライドさせることによりフォルダ５０をエアホース２０に固定させることができる。それにより、フォルダ５０にホースクランプ３０を保持させたアッシー状態でエアホース２０に組み付ける場合に拡径状態のホースクランプとエアホースの外周面の間隔が狭く、フォルダ４０の嵌合孔４６に突起２６を垂直に押し込む作業が困難である場合であっても容易にアッシー状態のフォルダ５０をエアホース２０に固定することができ、組み付け作業の自由度が向上する。
【００２６】
次に、図９を参照しながら第３実施形態について説明する。図９には帯状の環状部材７２を有するホースクランプ７０がフォルダ８０に保持されてアッシー状態とされている様子が示されている。ホースクランプ７０をホースの外周部に取り付けることにより、ホースクランプ７０がフォルダ８０を介してホースの外周部に保持される。
【００２７】
ホースクランプ７０は、環状部材７２が帯状部材より形成されており、緊締操作部の操作ネジを回すことにより環状部材７２を縮径または拡径させることがことができる（図示省略）。環状部材７２は、その周方向の中間において両側部対称にコの字状の切り欠き７３ａ，７３ｂが形成されている。
【００２８】
フォルダ８０は、樹脂製で平面視で略四角形の板状部材からなる本体部８２と、本体部８２の一端より起立して間隔を置いて形成された一対のリブ片８４ａ，８４ｂとを有する。リブ片８４ａ，８４ｂはそれぞれ環状部材７２の切り欠き７３ａ，７３ｂ係合可能に形成されている。フォルダ８０のリブ片８４ａ，８４ｂと環状部材７２の切り欠き７３ａ，７３ｂとを嵌め合うことにより、リブ片８４ａ，８４ｂの間に環状部材７２が通された状態でフォルダ８０上に環状部材７２を組み付けることができる。このリブ片８４ａ，８４ｂが本発明における環状部材と係合する係合手段に相当する。さらに、このリブ片８４ａ，８４ｂは、環状部材７２のコの字状の切り欠き７３ａ，７３ｂを係合させることにより、ホースクランプ７０の周方向の回転を妨げる作用を奏するものであり、本発明の回り止め部にも相当する。すなわち、リブ片８４ａ，８４ｂは、係合手段と回り止め部の両方の機能を併せ持っている。
【００２９】
フォルダ８０は、ホースの端部の外周部において径方向に突出形成された２つの突起に嵌合可能な平面視で略Ｃ字形状の嵌合孔８６ａ，８６ｂを有しており、嵌合孔８６ａ，８６ｂは、リブ８４ａ，８４ｂと対向しない端部に対称に形成されている。この嵌合孔８６ａ，８６ｂをホースの突起に嵌合させることにより、フォルダ８０をホースの端部に固定することができる。
【００３０】
以上の構成のホースクランプの保持構造によれば、以下の作用効果を奏する。すなわち、環状部材７２の切り欠き７３ａ，７３ｂとフォルダ８０のリブ８４ａ，８４ｂと嵌め合わせるとともに、フォルダ８０の嵌合孔８６ａ，８６ｂをホースの端部の突起に嵌合させることにより、容易にホースクランプをホースの端部に保持させることができる。ここで、環状部材７２のコの字状の切り欠き７３ａ，７３ｂがリブ８４ａ，８４ｂと嵌め合わされることにより、ホースクランプ７０の周方向の回転がより確実に抑制される。
【００３１】
なお、本発明は上記の実施形態に限定されず、本発明の要旨を逸脱しない範囲内でその他種々の実施形態が考えられるものである。例えば、上記第３実施形態では切り欠き７３ａ，７３ｂを有する帯状の環状部材７２を備えたホースクランプ７０をホースに保持させる実施形態を示したが、環状部材に切り欠きがない場合でもフォルダに回り止め部を形成して本発明を適用することは可能である。
【図面の簡単な説明】
【００３２】
【図１】第１実施形態のホースクランプの保持構造の斜視図である。
【図２】図１に示すホースクランプの保持構造の正面図である。
【図３】図２に示すホースクランプの保持構造の（３）−（３）断面図である。
【図４】図２に示すホースクランプの保持構造（４）−（４）断面図である。
【図５】第１実施形態のホースクランプの保持構造に係るフォルダの斜視図である。
【図６】図５に示すフォルダの正面図である。
【図７】図５に示すフォルダの平面図である。
【図８】第２実施形態に係るフォルダの斜視図である。
【図９】第３実施形態に係るフォルダの斜視図である。
【符号の説明】
【００３３】
１０  ホースクランプの保持構造
２０  エアホース
２２  胴部
２４  連結部
２６  突起
２７  軸部
２８ａ，２８ｂ    係止部
３０  ホースクランプ
３２  環状部材
３４  緊締操作部
３６  操作ネジ
４０  フォルダ
４２  本体部
４４  リブ
４６  嵌合孔
４８ａ，４８ｂ    係合手段
５０  フォルダ
５２  本体部
５４   リブ
５６  嵌合孔
５７  ガイドスリット
５８ａ，５８ｂ    係合手段
７０  ホースクランプ
７２  環状部材
８０  フォルダ
８２  本体部
８４ａ，８４ｂ    リブ片
８６ａ，８６ｂ    嵌合孔
【図１】
2008185092.tif 000003
【図２】
2008185092.tif 000004
【図３】
2008185092.tif 000005
【図４】
2008185092.tif 000006
【図５】
2008185092.tif 000007
【図６】
2008185092.tif 000008
【図７】
2008185092.tif 000009
【図８】
2008185092.tif 000010
【図９】
2008185092.tif 000011